(57)【特許請求の範囲】
【請求項１】
被測定者の体重を測定するための体重測定手段と、
測定された体重と測定日時とが関連付けされた測定データを格納するための記憶手段と、
前記記憶手段の前記測定データに基づき、被測定者の就寝から起床までのうち就寝側の第１タイミングで測定した就寝側体重値と、次の起床時間である起床側の第２タイミングで測定した起床側体重値との差分を所定期間にわたって算出するための算出手段と、
算出された差分の変化に基づき、前記被測定者の月経周期を推定する周期推定手段と、
推定された前記月経周期に関する情報を出力するための出力手段と、を備える、婦人用体重管理装置。
【請求項２】
前記周期推定手段は、
前記体重測定手段により前記第２タイミングで体重が測定されるとき、前記第１タイミングで測定した就寝側体重値と、当該第２タイミングで測定した起床側体重値とについての差分を算出するための差分算出手段を、含み、
前記算出手段により算出された前記所定期間の差分の平均と、前記差分算出手段により算出された前記差分との差に基づき、前記被測定者の月経周期を推定する、請求項１に記載の婦人用体重管理装置。
【請求項３】
前記周期推定手段は、
前記体重測定手段により前記第２タイミングで体重が測定される時が、次の月経開始日前の略２週間に該当するか否かを推定する、請求項１または２に記載の婦人用体重管理装置。
【請求項４】
前記出力手段は、
前記月経周期に関する情報と、被測定者の体重管理に関する情報を出力する、請求項１から３のいずれか１項に記載の婦人用体重管理装置。
【請求項５】
前記体重管理に関する情報は、
前記月経周期に関する情報に基づいた情報であって、減量に向きまたは不向きの期間を示す情報を含む、請求項４に記載の婦人用体重管理装置。
【請求項６】
前記所定期間は、以前の月経開始日前の略２週間を含む、請求項１から５のいずれか１項に記載の婦人用体重管理装置。
【請求項７】
コンピュータを用いて被測定者の体重を管理する婦人用体重管理方法であって、
プロセッサが、測定された被測定者の体重測定値と、測定日時とが関連付けされた測定データを取得するステップと、
プロセッサが、前記測定データをメモリに格納するステップと、
プロセッサが、前記メモリの前記測定データに基づき、被測定者の就寝から起床までのうち就寝側の第１タイミングで測定した就寝側体重値と、次の起床時間である起床側の第２タイミングで測定した起床側体重値との差分を所定期間にわたって算出するステップと、
プロセッサが、算出された差分の変化に基づき、前記被測定者の月経周期を推定するステップと、
プロセッサが、推定された前記月経周期に関する情報を出力するステップと、を備える、婦人用体重管理方法。
【請求項８】
コンピュータに婦人用体重管理方法を実行させるためのプログラムであって、
前記婦人用体重管理方法は、
プロセッサが、測定された被測定者の体重測定値と、測定日時とが関連付けされた測定データを取得するステップと、
プロセッサが、前記測定データをメモリに格納するステップと、
プロセッサが、前記メモリの前記測定データに基づき、被測定者の就寝から起床までのうち就寝側の第１タイミングで測定した就寝側体重値と、次の起床時間である起床側の第２タイミングで測定した起床側体重値との差分を所定期間にわたって算出するステップと、
プロセッサが、算出された差分の変化に基づき、前記被測定者の月経周期を推定するステップと、
プロセッサが、推定された前記月経周期に関する情報を出力するステップと、を備える、コンピュータに婦人用体重管理方法を実行させるためのプログラム。
【発明の詳細な説明】
【技術分野】
【０００１】
この発明は婦人用体重管理装置に関し、特に、測定体重に基づく月経周期に関する情報を提示する婦人用体重管理装置に関する。
【背景技術】
【０００２】
従来の体重管理システムでは、体重の変化をグラフで表示する機能、日内の体重変動を元に、体重の変化傾向を測る機能が提供されているが、女性の月経周期に起因した変化傾向を捉えることはできない。
【０００３】
ここで、体重計に月経周期を入力する方法として、基礎体温の測定に基づき月経周期を取得し、体重計に入力する方法が知られているが、月経周期をあらかじめ取得しておき、体重計に入力する必要があるため手間がかかり、実用性に優れない。
【０００４】
入力の手間を省いた方法として、特許文献１（特開２００２−１０２１９６号公報）による方法が提案されている。この方法では、生体に電気を流し生体インピーダンスを算出し、算出したインピーダンスに基づき体の水分量を推定し、推定した水分量により月経周期を把握するというものである。
【先行技術文献】
【特許文献】
【０００５】
【特許文献１】特開２００２−１０２１９６号公報
【発明の概要】
【発明が解決しようとする課題】
【０００６】
特許文献１の装置は、体重測定機能とは別個に生体インピーダンス測定機能を備える必要があるため、構成が複雑になり、また装置自体が高価となる。
【０００７】
それゆえに本発明の目的は、簡単な装置構成により月経周期を取得し情報を提示する婦人用体重管理装置を提供することである。
【課題を解決するための手段】
【０００８】
この発明は、被測定者の体重を測定するための体重測定手段と、測定された体重と測定日時とが関連付けされた測定データを格納するための記憶手段と、記憶手段の測定データに基づき、被測定者の就寝から起床までのうち就寝側の第１タイミングで測定した就寝側体重値と、起床側の第２タイミングで測定した起床側体重値との差分を所定期間にわたって算出するための算出手段と、算出された差分の変化に基づき、被測定者の月経周期を推定する周期推定手段と、推定された月経周期に関する情報を出力するための出力手段と、を備える。
【発明の効果】
【０００９】
本発明によれば、就寝側体重値と、起床側体重値との差分の変化に基づき、被測定者の月経周期を推定して出力するので、簡単な装置構成により月経周期を取得し情報を提示することができる。
【図面の簡単な説明】
【００１０】
【図１】本発明の実施の形態に係る体重体組成計の外観図である。
【図２】本発明の実施の形態に係る体重管理システムの構成図である。
【図３】この発明の実施の形態に係る記憶部の内容例を示す図である。
【図４】本発明の実施の形態に係る機能構成図である。
【図５】本発明の実施の形態に係る処理フローチャートである。
【図６】本発明の実施の形態に係る夜間減少体重変化を模式的に示す図である。
【図７】夜間減少体重と月経周期を関連付けて示す図である。
【図８】（Ａ）と（Ｂ）は表示例を示す図である。
【発明を実施するための形態】
【００１１】
以下、本発明の実施の形態について、図を参照して詳細に説明する。なお、以下に示す実施の形態においては同一または対応する部分に図中同一の符号を付し、その説明は繰返さない。
【００１２】
まず、用語を定義する。本実施の形態では体重測定に関する「朝時間」は、たとえば午前４時〜正午（昼の１２時）の時間帯を指し、「晩時間」は、たとえば午後７時〜午前２時の時間帯を指す。「朝体重」は、朝時間に測定された体重を指し、「晩体重」は晩時間に測定された体重を指す。本実施の形態では、日内の起床側のあるタイミングで体重測定がされ、就寝側のあるタイミングで体重測定がされるとする。説明を簡単にするために、就寝するために床に入る直前に体重（晩体重）が測定され、起床の直後に体重（朝体重）が測定されると想定する。なお、「日内」とは、被測定者の起床時間から就寝時間までの一日を指す。
【００１３】
「夜間減少体重」とは、就寝時間から次の起床時間までの間における発汗などの代謝や、起床後に排泄によって減少する体重を指す。
【００１４】
本実施の形態では、月経開始日（月経の初日）が月経周期の始まり（第１日目）であり、月経開始日から次の月経の直前までを、１つの月経周期としてカウントする。本実施の形態では、月経開始日を推定することによって、月経周期を推定する。
【００１５】
本実施の形態では、体重管理装置として、体重だけでなく生体インピーダンスを測定することにより体脂肪率などの体組成情報も取得することができる体重体組成計を例示するが、単に体重のみを測定する機能を有した装置であってよい。
【００１６】
本実施の形態では、被測定者は毎日、朝時間と晩時間に体重を測定する。そして、測定データに基づく夜間減少体重の変化の特徴に基づき、月経周期を推定する。つまり、女性は分泌されるホルモンの作用により、月経周期に伴って代謝量、および体内水分量が変動することが知られている。そのため、身体に蓄えられる水分量は月経周期に従って増減する。より具体的には、月経開始日前の略２週間の期間は、代謝量は低くなり、体内水分量が多くなることが知られている。
【００１７】
発明者は、月経開始日前の略２週間の期間においては、夜間減少体重は他の期間に比べて少ないはずであるから、夜間減少体重変化の特徴に基づけば、被測定者毎に月経周期を推定することができるとの知見を得た。具体的には、後述の図７に示すように、被測定者の代謝量および体内水分量の変化による夜間減少体重の変化は、月経の周期と関連付けすることができるとの知見を得た。以下の説明では、月経開始日前の略２週間の期間を、“前２週間”と略称する。
【００１８】
本実施の形態では、推定される月経周期に関する情報と、当該月経周期に基づく体重管理に関する情報とを出力する。具体的には、代謝量が低い前２週間においては、ダイエット（減量）をしても効果が期待できないので、ダイエットは控えることを促す旨のメッセージを出力し、これ以外の期間では、代謝量は戻るので、ダイエットの効果が期待できる旨のメッセージを出力する。これにより、被測定者毎に月経周期を推定し、推定した月経周期に照らした体重管理のための情報を提示することができる。
【００１９】
図１には、婦人用体重管理装置の機能が搭載される体重体組成計３の外観が示されて、図２には体重管理システム１の構成が示される。
【００２０】
図２の体重管理システム１は、体重体組成計３と、体重体組成計３と通信するサーバ（サーバコンピュータ）５を備える。図２では、説明を簡単にするために、サーバ５には１台の体重体組成計３が接続されるとしているが、複数台の体重体組成計３が接続されてもよい。図２では、体重体組成計３とサーバ５は無線または有線により通信する。なお、体重体組成計３とサーバ５との間でのデータの授受は通信によらず、記憶媒体を介して授受するようにしてもよい。
【００２１】
図１を参照して、体重体組成計３は、被測定者が手で持つ第１の筐体である表示操作部１０、被測定者が乗る第２の筐体である体重測定部３０とを備える。
【００２２】
表示操作部１０は、図２に示すように通信部１１、記憶部１２、計時部１３、操作部１４、表示部１５、定電流回路部１６、電源部１７、ＣＰＵ（Central Processing Unit）１８１を有する制御部１８、二重積分ＡＤ（Analog/Digital）部１９、インピーダンス検知部２０、および電極部２１を含む。
【００２３】
通信部１１は、制御部１８に接続されており、該制御部１８からの制御信号に従ってサーバ５と通信する。なお、通信部１１は、サーバ５に限らず、歩数計などの他の生体情報取得装置と通信する、あるいはパーソナルコンピュータや携帯情報端末(ＰＤＡ（Personal Digital Assistants）、携帯電話機など)と通信するなど、適宜の装置と通信するとしてもよい。
【００２４】
記憶部１２は、不揮発性のメモリやハードディスクなどの情報を記憶できる装置を含む。記憶部１２は、接続された制御部１８から制御信号に従って情報の読出しと書き込みがされる。
【００２５】
計時部１３は、現在日時などの時刻を計時するタイマ・カウンタから構成される装置であり、必要に応じて時刻を制御部１８へ出力する。
【００２６】
操作部１４は、押下などの操作がされる複数のボタン・スイッチなど(図１参照)を含む。被測定者は操作部１４を操作することにより、ＩＤ、性別、年齢、身長、体重などの被測定者の個人情報・身体情報を入力することができる。入力されたこれら情報は、制御部１８へ出力される。
【００２７】
また、本実施の形態では、ＩＤの入力とともに、操作部１４の所定ボタンが操作されて婦人用体重管理機能が指定された場合にのみ、当該ＩＤの被測定者に対して月経周期を判定するための機能が適用される。
【００２８】
表示部１５は、液晶画面(図１参照)などの表示装置によって構成され、制御部１８から与えられる画像信号に従って文字や図形となどの画像を表示する。
【００２９】
定電流回路部１６は、制御部１８の制御に基づいて、電源部１７から供給される高周波(交流)電流を電流印加用の電極部２１に一方向に流す。
【００３０】
電源部１７は、制御部１８を含む各部に動作電力を供給する。
制御部１８は、ＣＰＵ１８１、および図示のないＲＯＭ（Read Only Memory）とＲＡＭ（Random Access Memory）を含むマイコン(マイクロコンピュータ)により構成されており、ＲＯＭ等に記憶されているプログラムおよび各種データに従って各部の制御動作や演算動作を実行する。
【００３１】
このプログラムおよびデータには、体重管理のためのプログラムおよびデータが含まれる。
【００３２】
二重積分ＡＤ部１９は、二重積分型のＡＤ変換部である。動作においては、インピーダンス検知部２０から出力されるアナログ信号（電圧信号）をデジタル信号に変換して制御部１８に出力する。
【００３３】
インピーダンス検知部２０は、体重測定部３０に設けられている電極部３６と表示操作部１０に設けられている電極部２１との電位差に基づいて、被測定者の生体インピーダンスを検出する。
【００３４】
電極部２１は、被測定者が手で持つ表示操作部１０のグリップ部分(図１参照)の表面に設けられる。電極部２１は、グリップ部分を握っている被測定者の手のひらへ電源部１７から供給される高周波(交流)電流を印加する。
【００３５】
体重測定部３０は、操作部３１、電池３２、荷重検知部３３、および電極部３６を含む。操作部３１は、電源のＯＮ／ＯＦＦを切り替えるために操作される入力スイッチとして機能し、操作部３１は操作されると操作に応じた入力信号を制御部１８に出力する。
【００３６】
電池３２は、電源部１７を中心に各部へ電力を供給する。
荷重検知部３３は、複数のロードセル３４を内蔵する。筐体の上面カバーを兼ね備える上面カバー部３５(図１参照)の上に乗った被測定者の体重を測定する。測定された体重は、二重積分ＡＤ部１９に出力される。
【００３７】
電極部３６は、被測定者が乗る体重測定部３０の上面部分(図１参照)の表面に設けられており、被測定者の足裏から流れてくる電流を検出する電流測定用の電極である。電極部３６は、被測定者の左足指側、左足踵側、右足指側、右足踵側に接触する４つの電極を含む。
【００３８】
荷重検知部３３のロードセル３４のそれぞれは、体重測定部３０の上面部分にかかる荷重を測定可能なように、ここでは、電極部３６の各電極の下部に配置される。したがって、上面部分に被測定者が乗った場合に、生体インピーダンスと体重の両方を測定することができる。
【００３９】
体重測定において、各ロードセル３４には、被測定者の体重による荷重がかかる。各ロードセル３４は、かけられる荷重に応じて変形する金属部材からなる歪体と、歪体に張られた歪ゲージとからなる。歪体が歪むと、歪ゲージが伸縮して歪ゲージの伸縮に応じて抵抗値が変化し、その抵抗変化は荷重信号出力として導出される。したがって、被測定者が上面部分に乗って、両足が各ロードセル３４にかかった場合、ロードセル３４にかけられる被測定者の体重により歪体が歪むと、上述の荷重信号出力の変化として体重が測定される。
【００４０】
なお、荷重を検出するための荷重センサとして、本実施の形態では、ロードセル３４を利用しているが、上面部へ加えられた力の量が検出できるものであれば、たとえば、ばね、ピエゾフィルムを利用したセンサ、圧縮を検出する素子、変位センサなどであってもよい。
【００４１】
サーバ５は、通信部５１、ＣＰＵ５２１、ＲＯＭ、ＲＡＭを有するコンピュータからなる制御部５２、操作部５３、表示部５４、および記憶部５５を含む。
【００４２】
通信部５１は、制御部５２の制御に従って体重体組成計３とデータを送受信する。制御部５２のＣＰＵ５２１は、ＲＯＭなどに記憶されているプログラムおよびデータに従って各部の動作を制御するとともに、各種の演算を実行する。
【００４３】
操作部５３は、キーボードやマウスなどを含む。オペレータにより操作されることにより入力された信号は、制御部５２に出力される。
【００４４】
表示部５４は、液晶ディスプレイやＣＲＴ（Cathode Ray Tube）ディスプレイなどに相当する。表示部５４は、制御部５２から与えられる制御信号に従って絵・文字などの画像を表示する。
【００４５】
記憶部５５は、ハードディスクなどの固定の記憶装置、またはフレキシブルディスク、ＣＤ−ＲＯＭ（Compact Disk Read Only Memory）、ＲＯＭ（Read Only Memory）、ＲＡＭ（Random Access Memory）およびメモリカードなどのＣＰＵ５２１のコンピュータが読取り可能な記録媒体に相当する。
【００４６】
記憶部５５は、体重体組成計３で測定したデータ(体組成情報、体重データ、測定日時データなど)、および被測定者の氏名（ＩＤ）や住所といった個人情報など、被測定者に関する種々のデータが記憶される。
【００４７】
本実施の形態では、被測定者の体重測定時に生体インピーダンスを測定することができる。これにより、体重とともに、生体インピーダンスに基づく生体情報（体脂肪率など）を算出して出力することができる。本実施の形態では、説明を簡単にするために、生体インピーダンスに基づく生体情報の算出および出力に関する処理の説明は略す。
【００４８】
また、本実施の形態では、操作部１４から入力されるＩＤに基づき被測定者毎に測定データを区別して収集・処理することにより、体重体組成計３を複数の被測定者により共用することができる。ここでは、説明を簡単にするために、体重体組成計３は、１人の女性被測定者により専用されていると想定する。
【００４９】
また、本実施の形態では、操作部１４の所定ボタンが操作されない場合には、通常の測定が行われる。すなわち月経周期に基づく体重管理情報の提示は省略されて、例えば測定体重のみが表示される測定が行なわれる。
【００５０】
図３を参照して、記憶部１２は、体重測定がされる毎に、測定データを記憶するための領域Ｅ１、変化量Ｖｉ（ｉ＝１、２、３、…、ｎ）を格納するための領域Ｅ２、過去３日分のそれぞれについての差分ＤＦ１、ＤＦ２およびＤＦ３を格納するための領域Ｅ３を有する。記憶部１２は、閾値ＴＨおよび月経の周期日ＳＤを格納する。ここでは、周期日ＳＤは、月経開始日（開始予定日）を指す。差分ＤＦｊ（ｊ＝１、２、３）については後述する。
【００５１】
領域Ｅ１に格納される各測定データは、測定された体重のデータＤ１、計時部１３の計時データに基づく測定日時のデータＤ２および体重測定が“朝時間”、“晩時間”およびその他の時間のいずれで実施されたか区別して示すためのデータＤ３を含む。
【００５２】
領域Ｅ２の変化量Ｖｉは、夜間減少体重と、計時部１３が出力する計時データに基づく日時データと、当該夜間減少体重に対応したフラグＦとを含む。フラグＦは、対応の夜間減少体重が前２週間において算出された場合には、“１”に設定され、それ以外では“０”に設定される。
【００５３】
閾値ＴＨは、前２週間に該当するか否かを判定するために参照される閾値であり、予め実験などにより取得されて工場出荷時に記憶部１２に格納される。周期日ＳＤは、推定される月経開始日を指す。
【００５４】
図４には、ＣＰＵ１８１の機能構成が示される。これらの各機能は、プログラムにより、またはプログラムと回路の組合せにより実現される。プログラムは、予め記憶部１２の所定領域に格納されており、ＣＰＵ１８１がこれらプログラムの命令コードを記憶部１２から読出し実行することにより、各部の機能が実現される。
【００５５】
ＣＰＵ１８１は、月経の周期（より特定的には月経開始日および前２週間）を推定するための周期取得部１８２、各種の演算処理を行なうための演算部１８３、測定日時が周期日ＳＤ以前の日であるか、または周期日ＳＤよりも後の日であるかを判定するための周期判定部１８４、および表示部１５に情報を出力するための出力処理部１８５を含む。
【００５６】
周期取得部１８２は、被測定者の体重を算出するための体重算出部１８６、差分ＤＦｊを算出するための差分算出部１８７、および変化量Ｖｉを算出するための変化量算出部１８８を含む。
【００５７】
差分算出部１８７は、晩体重の測定時に、過去３ヶ月分の前２週間に該当する夜間減少体重の平均値と、今回の体重測定によって得られた夜間減少体重との差分を算出する。算出される差分は、計時部１３が出力する計時データに基づく日時データとが関連付けされて、差分ＤＦｊとして領域Ｅ３に格納される。
【００５８】
領域Ｅ３には、最大３日分の差分ＤＦｊ、すなわち差分ＤＦ１〜ＤＦ３が格納可能である。したがって、差分が算出される毎に、領域Ｅ３の３個の差分ＤＦ１〜ＤＦ３のうち、関連付けされている日時データが最も古い（最も過去の日時を指す）差分ＤＦｊが、今回算出された差分ＤＦｊにより上書きされて更新される。
【００５９】
図５を参照して、本実施の形態に係る体重測定時の処理について説明する。この処理は、操作部１４を介して電源部１７のＯＮ操作と所定ボタン操作がされると開始される。処理が終了すると、ＣＰＵ１８１により電源はＯＦＦされる。
【００６０】
まず、被測定者（女性）が体重測定部３０上に乗ると、ロードセル３４の出力に基づき体重算出部１８６により体重が算出される（ステップＳ３）。算出された体重のデータＤ１と、計時部１３の計時データに基づく測定日時のデータＤ２と、測定時間が朝時間および晩時間のいずれに該当するかのデータＤ３とが関連付けられた測定データが、記憶部１２の領域Ｅ１に格納される（ステップＳ５）。ここで、朝および晩の別を示すデータＤ３は、測定日時のデータＤ２と、朝時間（たとえば午前４時〜正午（昼の１２時）の時間帯）および晩時間（たとえば午後７時〜午前２時の時間帯）との比較結果に基づき決定される（ステップＳ７）。
【００６１】
なお、データＤ３は、被測定者が操作部１４を操作することにより入力する、朝時間および晩時間を区別するデータに基づき決定するとしてもよい。
【００６２】
続いて、周期取得部１８２は、記憶部１２の周期日ＳＤが格納されているか否かを判定する（ステップＳ７）。ここで、工場出荷時など未だ周期日ＳＤが推定されていない状態においては、記憶部１２の周期日ＳＤには空データ“ＮＵＬＬ”が設定されている。したがって、周期日ＳＤが“ＮＵＬＬ”である場合には、周期日ＳＤがないと判定される。周期日ＳＤがないと判定されると（ステップＳ７でＮＯ）、出力処理部１８５は、ステップＳ３で測定された体重を表示部１５に表示して（ステップＳ４１）、その後、処理は終了する。
【００６３】
一方、周期日ＳＤが“ＮＵＬＬ”ではないと判定されると（ステップＳ５でＹＥＳ）、周期判定部１８４は、計時部１３の計時データと晩時間（たとえば午後７時〜午前２時の時間帯）とを比較し、比較結果に基づき、測定時間が“晩時間”に該当するか、その他の時間に該当するかを判定する（ステップＳ９）。この判定は、ステップＳ５で記憶部１２に格納されたデータＤ３に基づきなされてもよい。
【００６４】
測定時間が“晩時間”に該当すると判定されると（ステップＳ９で“晩”）、周期判定部１８４は、計時部１３の計時データが指す日時が、記憶部１２の周期日ＳＤが指す日以前を指すか否かを判定する（ステップＳ１１）。以前の日時を指すと判定されると（ステップＳ１１でＹＥＳ）、出力処理部１８５により、記憶部１２から読出された周期日ＳＤと、ステップＳ３で測定された体重の情報とが表示部１５に表示される（ステップＳ１３）。その後処理は終了する。
【００６５】
ステップＳ１３における表示の一例が、図８の（Ａ）に示される。図８の（Ａ）では、測定体重とともに被測定者の月経周期に関する情報と、当該月経周期に基づく体重管理に関する情報（“２週間前の期間です。ダイエットの効果は期待できないので控えましょう”）が表示されている。この表示では、周期日ＳＤの日時から計時部１３の計時データが指す日時を差引くことにより、月経開始日までの日数（たとえば、１０日）を、月経周期に関する情報として提示している。提示する月経周期に関する情報は、これに限定されない。たとえば、月経開始日までの日数に代替して周期日ＳＤを表示してもよく、または月経開始日までの日数と周期日ＳＤとを表示してもよい。
【００６６】
周期日ＳＤより後の日時を指すと判定されると（ステップＳ１１でＮＯ）、出力処理部１８５により、ステップＳ３で測定された体重の情報が表示部１５に表示される（ステップＳ１５）。その後処理は終了する。
【００６７】
ステップＳ１５における表示の一例が、図８の（Ｂ）に示される。図８の（Ｂ）では、測定体重とともに当該月経周期に基づく体重管理に関する情報（“次回周期日まで２週間以上あります。ダイエットの効果が期待できます”）が表示される。
【００６８】
ステップＳ９において、測定時間が“朝時間”に該当すると判定されると（ステップＳ９で“朝”）、変化量算出部１８８は、領域Ｅ１から直前の“晩時間”の測定データの体重、すなわち前日の晩体重のデータＤ１を読出して取得する（ステップＳ１７）。
【００６９】
続いて、変化量算出部１８８は、夜間減少体重を取得し、記憶部１２の領域Ｅ２に、変化量Ｖｉとして格納する（ステップＳ１８）。すなわち、変化量算出部１８８は、ステップＳ１７で取得された晩体重から、ステップＳ３で取得された朝体重を減算することにより夜間減少体重を算出し、算出した夜間減少体重と計時部１３が出力する計時データに基づく日時データを関連付けた変化量Ｖｉとして、領域Ｅ２に格納する。このとき変化量ＶｉのフラグＦは“０”にセットされる。
【００７０】
次に、周期判定部１８４は、計時部１３の出力する計時データが示す日時と、記憶部１２の周期日ＳＤが指す日時とを比較し、比較結果に基づき現在の日時が、周期日ＳＤが指す日よりも後を指すか否か、すなわち過ぎているか否かを判定する（ステップＳ１９）。周期日ＳＤを過ぎていない、すなわち次の月経開始予定日以前の日であると判定されると（ステップＳ１９でＮＯ）、変化量算出部１８８は、ステップＳ１８で格納した変化量ＶｉのフラグＦを“１”に更新する（ステップＳ２０）。その後、出力処理部１８５により、図８の（Ｂ）の表示がされて（ステップＳ２１）、処理は終了する。
【００７１】
このように、後述のステップＳ３７において、前２週間の開始が検出されることにより周期日ＳＤが更新されると、その後、当該周期日ＳＤが過ぎるまでの期間（すなわち、前２週間）において取得される変化量ＶｉのフラグＦは“１”にセットされる。これにより、領域Ｅ２の変化量Ｖｉのうちから、前２週間に該当する期間で取得された変化量ＶｉをフラグＦの値に基づき識別することができる。
【００７２】
一方、今回の測定日時が、周期日ＳＤが指す日時よりも後を指すと判定されると（ステップＳ１９でＹＥＳ）、変化量算出部１８８は、変化量平均を取得する（ステップＳ２５）。具体的には、領域Ｅ２に格納されている過去３ヶ月間の変化量ＶｉのうちフラグＦが“１”である変化量Ｖｉの夜間減少体重のすべてを加算し、その加算結果に基づいた平均を算出する。
【００７３】
図６には、変化量Ｖｉの平均の算出手順が模式的に示されている。図示されるように、晩体重から朝体重を差引いた夜間減少体重（ただし、対応のフラグＦが“１”）を一定期間分（たとえば、過去３ヶ月間）加算し、その平均値を算出する。
【００７４】
ここでは、領域Ｅ２には、十分な件数の変化量Ｖｉが、たとえば過去３ヶ月分の変化量Ｖｉが既に格納されているものとするが、変化量Ｖｉの件数は過去３ヶ月分に限定されるものではなく、月経周期を推定が可能な件数であればよい。次の月経開始日前の略２週間を推定するために、この所定期間は、好ましくは、少なくとも前の月経開始日前の略２週間を含む期間である。
【００７５】
なお、月経周期を推定可能な十分な件数の変化量Ｖｉが未だ格納されていない場合には、所定値を変化量平均とする。この所定値は、一般的な複数の女性から取得された３ヶ月間内における前２週間分の夜間減少体重の平均値である。この所定値は、記憶部１２に予め格納されている。
【００７６】
続いて、差分算出部１８７は、ステップＳ２５で取得された変化量の平均と、ステップＳ１８で取得された夜間減少体重との差分を取得する。そして、取得した差分と計時部１３が出力する計時データに基づく日時を関連付けた差分ＤＦｊを領域Ｅ３に格納する（ステップＳ２７）。
【００７７】
周期取得部１８２は、領域Ｅ２に、３日分の差分ＤＦ１〜ＤＦ３が格納されているか否かを判定する（ステップＳ２９）。３日分の差分が格納されていないと判定すると（ステップＳ２９で“なし”）、ステップＳ３１で、メッセージと、ステップＳ３で測定された体重の情報が表示される（図８の（Ｂ）参照）。その後、処理を終了する。
【００７８】
一方、ステップＳ２９において３日分の差分ＤＦ１〜ＤＦ３が格納されていると判定されると（ステップＳ２９で“有り”）、周期取得部１８２は、差分ＤＦ１〜ＤＦ３と、記憶部１２の閾値ＴＨとを比較する。比較結果に基づき、差分ＤＦ１〜ＤＦ３それぞれについて（差分≧ＴＨ）の条件式が成立するか否かを判定する（ステップＳ３３）。差分ＤＦ１〜ＤＦ３のいずれかについて当該条件式が成立しないと判定すると（ステップＳ３３でＮＯ）、ステップＳ３１の表示処理が行なわれる。ステップＳ３１では、図８の（Ｂ）の情報が表示される。
【００７９】
差分ＤＦ１〜ＤＦ３の全てについて、上述の条件式が成立すると判定されると（ステップＳ３３でＹＥＳ）、周期取得部１８２は、周期日ＳＤを算出する（ステップＳ３５）。具体的には、差分ＤＦ１〜ＤＦ３から最も古い（過去の）日時を特定し、特定した日時から２週間後の日を算出し、算出した日を次回の月経開始日である周期日ＳＤとして、記憶部１２に格納する（ステップＳ３７）。
【００８０】
その後、出力処理部１８５により、記憶部１２の周期日ＳＤと、ステップＳ３で測定された体重とを用いて、図８の（Ａ）の画面が表示される（ステップＳ３９）。その後、処理を終了する。
【００８１】
ここでは、前２週間に入るか否かを判定するために、ステップＳ３３で３日分の差分ＤＦ１〜ＤＦ３と閾値ＴＨを比較しているが、比較される差分ＤＦｊの数は、３日分に限定されない。ただし、前２週間に入るか否かの判定を正確に行なうためには、連続した複数日分の差分ＤＦｊを用いるのが望ましい。
【００８２】
このように、変化量Ｖｉが示す夜間減少体重の変化に基づき、周期日ＳＤと、前２週間とを推定し、推定したこれら月経周期の情報を報知することができる。また、推定した月経周期に基づきダイエットの効果が期待できる・できないなど減量に向きまたは不向きの期間である旨の体重管理に関する情報を報知することができる。
【００８３】
本実施の形態における上述した体重管理の方法は、プログラムとして提供することもできる。このようなプログラムは、制御部１８または制御部５２のコンピュータに付属するフレキシブルディスク、ＣＤ−ＲＯＭ（compact disk read only memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８４】
提供されるプログラム製品は、ハードディスクなどのプログラム格納部にインストールされてＣＰＵ１８１（または５２１）により読出されて実行される。なお、プログラム製品は、プログラム自体と、プログラムが記録された記録媒体とを含む。
【００８５】
（変形例）
記憶部１２に格納された情報をサーバ５に送信し、サーバ５で、受信したデータを処理することにより、図８の情報を表示部５４により表示するようにしてもよい。
【００８６】
図８では、月経周期に関する情報として、推定された周期日ＳＤまでの猶予期間を表示したが、併せて推定された周期日ＳＤを表示してもよい。また、表示部１５には、図７に示すように、測定日、月経周期／代謝量の変化、および測定した夜間減少体重の変化を関連付けて表示してもよい。
【００８７】
本実施の形態では、体重測定がされると図８に示すように月経周期に関する情報を提示したが、体重測定が行なわれなくとも、操作部１４の操作に応じて、記憶部１２の周期日ＳＤに基づく月経周期に関する情報を表示するようにしてもよい。
【００８８】
また、本実施の形態では、ステップＳ３７で周期日ＳＤが推定される毎に、記憶部１２の周期日ＳＤを更新するようにしたが、新たな周期日ＳＤが推定される毎に、記憶部１２に追加格納するようにしてもよい。この場合には、各月経周期の周期日ＳＤと、領域Ｅ２の変化量Ｖｉとを測定日時に基づき関連付けて表示することにより、図７のような履歴表示が可能となる。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１  体重管理システム、３  体重体組成計、５  サーバ、１０  表示操作部、１１，５１  通信部、１２，５５  記憶部、１３  計時部、１４，３１，５３  操作部、１５，５４  表示部、３０  体重測定部、１８２  周期取得部、１８４  周期判定部、１８５  出力処理部、１８６  体重算出部、１８７  差分算出部、１８８  変化量算出部、ＳＤ  周期日、ＴＨ  閾値、Ｖｉ  変化量。
【図１】
0005707798.tif 000002
【図２】
0005707798.tif 000003
【図３】
0005707798.tif 000004
【図４】
0005707798.tif 000005
【図５】
0005707798.tif 000006
【図６】
0005707798.tif 000007
【図７】
0005707798.tif 000008
【図８】
0005707798.tif 000009